(57)【要約】      （修正有）【課題】頭をのせるだけでの枕、または枕を覆うだけの枕カバーとしてではなく、日常昼間生活において腕を上げる動作をしなければ働くことがない胸部筋肉と肩の筋肉を、就寝中において腕を上げた状態を維持させることにより胸部筋肉アップと肩の筋肉をほぐす効果がある枕、及び枕カバーを提供する。【解決手段】枕カバー本体に、手首を入れるリストバンド、又は手首を入れるリストバンドと連結帯を一体的に設けることにより、就寝中において腕を上げた状態で、手首がリストバンドにより固定されるため胸部筋肉が持ち上げられ、また肩の筋肉に伸縮変化をもたらす状態が就寝中維持されることから胸部筋肉アップと肩の筋肉をほぐす効果が達成される。また、胸部が持ち上げられるため、就寝中呼吸がしやすい効果が達成される。【選択図】図４
0003150065.tif 000002
【実用新案登録請求の範囲】
【請求項１】
手首を入れるリストバンド（１）を設けたことを特徴とする枕並びに枕カバー
【請求項２】
手首を入れるリストバンド（１）及びリストバンド（１）と枕を繋ぐ連結帯（２）を設けたことを特徴とする枕並びに枕カバー
【請求項３】
前記手首を入れるリストバンド（１）に伸縮性を持たせ、またリストバンドの半径を手首の太さ並びにリストバンド装着者の意識により手首を抜くことができるよう調整可能とする調整具（３）を設けたことを特徴とする請求項１又は２に記載の枕並びに枕カバー
【請求項４】
前記連結帯（２）の先端にクリップ具（４）を設けることにより、手首を入れるリストバンド（１）並びに連結帯（２）を枕・枕カバーから、取り外しを可能としたことを特徴とする請求項２又は３に記載の枕並びに枕カバー
【考案の詳細な説明】
【技術分野】
【０００１】
本考案は、日常昼間生活において腕を上げる動作をしないと働くことがない胸部筋肉と肩の筋肉を、就寝中において腕を上げた状態を維持させることにより胸部筋肉アップと肩の筋肉をほぐす効果を提供する枕及び枕カバーの形状に関するものである。
【背景技術】
【０００２】
従来の枕は、就寝時に頭をのせるだけものであり、また枕カバーは、枕の汚れを防止するため枕の形状に合わせ覆うだけのものであり、それ以上の実用的な利便性はなかった。  特開２００７−１８１５０９号（特許文献１）によれば、枕本体と枕カバーにストッパー付ベルトを付属し、ベルト収納袋を設けたものが見受けられる。
特開２００２-1７６８４号（特許文献２）によれば、枕を物干し竿に吊す係止用部材を設けたものが見受けられる。
特開平８−２４２９９３号（特許文献３）によれば、枕の高さを調整するため紐を設けたものが見受けられる。
特開平１０−３２３２６６号（特許文献４）によれば、ぬいぐるみや額冷却具を取り付けるためにファスナー等を設けたものが見受けられる。
【先行技術文献】
【特許文献】
【０００３】
【特許文献１】特開２００７−１８１５０９号公報
【特許文献２】特開２０００−２１７６８４号公報
【特許文献３】特開平８−２４２９９３号公報
【特許文献４】特開平１０−３２３２６６号公報
【考案の概要】
【考案が解決しようとする課題】
【０００４】
本考案は、枕及び枕カバーにより、就寝中において腕を上げた状態を継続的に維持し、日常昼間生活で動作しなかった胸部筋肉を持ち上げ、肩の筋肉の伸縮変化をもたらす状態を作り上げることにより、胸部筋肉アップと肩の筋肉をほぐす効果を提供することを目的とするものである。
【課題を解決するための手段】
【０００５】
以上の課題を解決するために、第一考案は、手首を入れるリストバンド（１）を設けたことを特徴とする枕並びに枕カバーである。
第二考案は、手首が入るリストバンド（１）及びリストバンド（１）と枕を繋ぐ連結帯（２）を設けたことを特徴とする枕カバー並びに枕カバーである。
第三考案は、手首を入れるリストバンド（１）に伸縮性を持たせ、またリストバンド（１）の半径を手首の太さ並びリストバンド装着者の意識により手首を抜くことができるよう調整可能とする調整具（３）を設けたことをとしたことを特徴とする枕並びに枕カバーである。
第四考案は、連結帯（２）の先端にクリップ具（４）を設けることにより、手首を入れるリストバンド（１）並びに連結帯（２）を、枕・枕カバーから取り外しを可能としたことを特徴とする枕並びに枕カバーである。
【考案の効果】
【０００６】
第一考案及び第二考案によれば、就寝中においてリストバンド（１）に手首を入れることにより、腕を上げた状態が継続的に維持されるため、胸部筋肉が持ち上げられ、また肩の筋肉に伸縮変化をもたらす状態が維持されることから胸部筋肉アップと肩の筋肉をほぐす効果が達成される。また、胸部が広がり、就寝中呼吸がしやすい効果も同時に達成される。
第三考案によれば、手首を入れるリストバンド（１）に伸縮性があり、リストバンド（１）の半径が調整可能であることから、手首の太さに関係なく装着できる効果が達成され、またリストバンド装着者の意識により手首を抜くことができる効果が達成される。
第四考案によれば、連結帯（２）の先端にクリップ具（４）を設けたことにより、手首を入れるリストバンド（１）並びに連結帯（２）を、枕・枕カバーから取り外しが可能となる効果が達成される。
【図面の簡単な説明】
【０００７】
【図１】本校案にかかわる枕カバー外観の全体図である。
【図２】本考案にかかわるリストバンド（１）の半径を調整する調整具（３）を設けた          外観の全体図である。
【図３】本考案にかかわる連結帯（２）の先端に設けたクリップ具（４）外観の全体図          である。
【図４】本考案に関わる使用図である。
【考案を実施するための形態】
【０００８】
手首を入れるリストバンド（１）、手首を入れるリストバンド（１）と連結帯（２）を、枕本体（５）及び枕カバー本体（６）の一部としたことにより実現した。
また、連結帯（２）の先端にクリップ具（４）を設けることにより、使用しない場合において、手首を入れるリストバンド（１）並びに連結帯（２）を枕・枕カバーから、取り外しが可能とすることにより実現した。
【実施例】
【０００９】
図１は、本考案にかかわる枕カバー外観の全体図であり、枕カバー本体（５）に、手首が入るリストバンド（１）と連結帯（２）を設けたことにより、リストバンド（１）に手首を入れ腕を上げた状態が継続的に維持されるため、胸部筋肉の持ち上げ並びに肩の筋肉に伸縮変化をもたらす状態が維持され、胸部筋肉アップと肩に筋肉をほぐす効果が達成された。
図２は、本考案にかかわる手首を入れるリストバンド（１）の半径を調整する調整具（３）を設けた外観の全体図であり、リストバンド（１）の半径を調整する調整具（３）を設けたことにより、手首の太さに応じて、また装着者の意識により手首を抜くことができる半径を設定可能とする効果が達成された。
図３は、本考案にかかわる連結帯（２）の先端に設けたクリップ具（４）を設けた外観の全体図であり、クリップ具（４）を設けることにより、手首を入れるリストバンド（１）並びに連結帯（２）を、枕・枕カバーから取り外しを可能とする効果が達成された。
【符号の説明】
【００１０】
１  手首を入れるリストバンド
２  連結帯
３  調整具
４  クリップ具
５  枕カバー本体
【図１】
0003150065.tif 000003
【図２】
0003150065.tif 000004
【図３】
0003150065.tif 000005
【図４】
0003150065.tif 000006
【手続補正書】
【提出日】平成21年2月23日(2009.2.23)
【手続補正１】
【補正対象書類名】実用新案登録請求の範囲
【補正対象項目名】全文
【補正方法】変更
【補正の内容】
【実用新案登録請求の範囲】
【請求項１】
手首を入れるリストバンド（１）を設けたことを特徴とする枕カバー
【請求項２】
手首を入れるリストバンド（１）及びリストバンド（１）と枕カバーを繋ぐ連結帯（２）を設けたことを特徴とする枕カバー
【請求項３】
前記手首を入れるリストバンド（１）に伸縮性を持たせ、またリストバンドの半径を手首の太さ並びにリストバンド装着者の意識により手首を抜くことができるよう調整可能とする調整具（３）を設けたことを特徴とする請求項１又は２に記載の枕カバー
【請求項４】
前記連結帯（２）の先端にクリップ具（４）を設けることにより、手首を入れるリストバンド（１）並びに連結帯（２）を、枕カバーから取り外しを可能としたことを特徴とする請求項２又は３に記載の枕カバー
【手続補正２】
【補正対象書類名】明細書
【補正対象項目名】全文
【補正方法】変更
【補正の内容】
【考案の詳細な説明】
【技術分野】
【０００１】  本考案は、日常昼間生活において腕を上げる動作をしないと動くことがない胸部筋肉と肩の筋肉を、就寝中において腕を上げた状態を維持させることにより胸部筋肉アップと肩の筋肉をほぐす効果を提供する枕カバーの形状に関するものである。
【背景技術】
【０００２】  従来の枕カバーは、枕の汚れを防止するため枕の形状に合わせ覆うだけのものであり、それ以上の実用的な利便性はなかった。  特開２００７−１８１５０９号（特許文献１）によれば、枕本体と枕カバーにストッパー付ベルトを付属し、ベルト収納袋を設けたものが見受けられる。  特開２０００−２１７６８４号（特許文献２）によれば、枕を物干し竿に吊るす係止用部材を設けたものが見受けられる。  特開平８−２４２９９３号（特許文献３）によれば、枕の高さを調整するため紐を設けたものが見受けられる。  特開平１０−３２３２６６号（特許文献４）によれば、ぬいぐるみや額冷却具を取り付けるためにファスナー等を設けたものが見受けられる。
【先行技術文献】
【特許文献】
【０００３】
【特許文献１】特開２００７−１８１５０９号公報
【特許文献２】特開２０００−２１７６８４号公報
【特許文献３】特開平８−２４２９９３号公報
【特許文献４】特開平１０−３２３２６６号公報
【考案の概要】
【考案が解決しようとする課題】
【０００４】  本考案は、枕カバーにより、就寝中において腕を上げた状態を継続的に維持し、日常昼間生活で動作しなかった胸部筋肉を持ち上げ、肩の筋肉に伸縮変化をもたらす状態を作り上げることにより、胸部筋肉アップと肩の筋肉をほぐす効果を提供することを目的とするものである。
【課題を解決するための手段】
【０００５】  以上の課題を解決するために、第一考案は、手首を入れるリストバンド（１）を設けたことを特徴とする枕カバーである。  第二考案は、手首を入れるリストバンド（１）及びリストバンド（１）と枕カバーを繋ぐ連結帯（２）を設けたことを特徴とする枕カバーである。  第三考案は、手首を入れるリストバンド（１）に伸縮性を持たせ、またリストバンド（１）の半径を手首の太さ並びにリストバンド装着者の意識により手首を抜くことができるよう調整可能とする調整具（３）を設けたことを特徴とする枕カバーである。  第四考案は、連結帯（２）の先端にクリップ具（４）を設けることにより、手首を入れるリストバンド（１）並びに連結帯（２）を、枕カバーから取り外しを可能としたことを特徴とする枕カバーである。
【考案の効果】
【０００６】  第一考案及び第二考案によれば、就寝中においてリストバンド（１）に手首を入れることにより、腕を上げた状態が継続的に維持されるため、胸部筋肉が持ち上げられ、また肩の筋肉に伸縮変化をもたらす状態が維持されることから胸部筋肉アップと肩の筋肉をほぐす効果が達成される。また、胸部が広がり、就寝中呼吸がしやすい効果も同時に達成される。  第三考案によれば、手首を入れるリストバンド（１）に伸縮性があり、リストバンド（１）の半径が調整可能であることから、手首の太さに関係なく装着できる効果が達成され、またリストバンド装着者の意識により手首を抜くことができる効果が達成される。  第四考案によれば、連結帯（２）の先端にクリップ具（４）を設けたことにより、手首を入れるリストバンド（１）並びに連結帯（２）を、枕カバーから取り外しが可能となる効果が達成される。
【図面の簡単な説明】
【０００７】
【図１】本考案にかかわる枕カバー外観の全体図である。
【図２】本考案にかかわるリストバンド（１）の半径を調整する調整具（３）を            設けた外観の全体図である。
【図３】本考案にかかわる連結帯（２）の先端にクリップ具（４）を設けた外観            の全体図である。
【図４】本考案にかかわる使用図である。
【考案を実施するための形態】
【０００８】  手首を入れるリストバンド（１）又は、手首を入れるリストバンド（１）と連結帯（２）を枕カバー本体（５）の一部としたことにより実現した。  また、連結帯（２）の先端にクリップ具（４）を設けたことにより、使用しない場合において、手首を入れるリストバンド（１）と連結帯（２）を、枕カバーから取り外しが可能とすることにより実現した。
【実施例】
【０００９】  図１は、本考案にかかわる枕カバー外観の全体図であり、枕カバー本体（５）に、手首が入るリストバンド（１）と連結帯（２）を設けたことにより、リストバンド（１）に手首を入れ腕を上げた状態が継続的に維持されるため、胸部筋肉の持ち上げ並びに肩の筋肉に伸縮変化をもたらす状態が維持され、胸部筋肉アップと肩の筋肉をほぐす効果が達成された。  図２は、本考案にかかわる手首を入れるリストバンド（１）の半径を調整する調整具（３）を設けた外観の全体図であり、リストバンド（１）の半径を調整する調整具（３）を設けたことにより、手首の太さに応じて、また装着者の意識により手首を抜くことができる半径を設定可能とする効果が達成された。  図３は、本考案にかかわる連結帯（２）の先端にクリップ具（４）を設けた外観の全体図であり、クリップ具（４）を設けたことにより、手首を入れるリストバンド（１）並びに連結帯（２）を、枕カバーから取り外しを可能とする効果が達成された。
【符号の説明】
【００１０】      １  手首を入れるリストバンド      ２  連結帯      ３  調整具      ４  クリップ具      ５  枕カバー本体